(57)【要約】      （修正有）【課題】食品の量目に対して消費者の満足感を相対的に高め、また、商品の売り場面積の効率化の向上に貢献する包装用容器を提供すること。【解決手段】食品の各々が載置される載置部１１と、この載置部の周縁より外方に延出する本体フランジ部１２とを少なくとも備えた容器本体１を備え、この載置部におけるこの食品１つあたりの面積が１５ｃｍ２以下で、平面視でこの容器本体のうちこの載置部以外の部分におけるこの食品１つあたりの面積が１７ｃｍ２以下である。【選択図】図１
2018095306.tif 000002
【特許請求の範囲】
【請求項１】
食品の各々が載置される載置部と、当該載置部の周縁より外方に延出するフランジ部とを少なくとも備えた容器本体を備え、
前記載置部における前記食品１つあたりの面積が１５ｃｍ２以下で、
平面視で前記容器本体のうち前記載置部以外の部分における前記食品１つあたりの面積が１７ｃｍ２以下である
ことを特徴とする包装用容器。
【請求項２】
前記容器本体が、前記載置部を引き上げる脚部をさらに備え、
前記載置部の表面から前記脚部の最下端までの高さが、１０ｍｍ以上である
ことを特徴とする請求項１に記載の包装用容器。
【請求項３】
前記フランジ部が、部分的に高さの高い膨出部を有する
ことを特徴とする請求項１に記載の包装用容器。
【請求項４】
前記膨出部が、部分的に幅の広い幅広部を有する
ことを特徴とする請求項３に記載の包装用容器。
【請求項５】
前記容器本体に装着され、角部分が隅切られた蓋体をさら備えている
ことを特徴とする請求項１に記載の包装用容器。
【発明の詳細な説明】
【技術分野】
【０００１】
本発明は、例えば、小売店で販売される食品を収納する包装用容器に関するものである。
【背景技術】
【０００２】
従来から、スーパーマーケットやコンビニエンスストア等の小売店の弁当や惣菜等の食品販売では、食品を包装するときの状況、食品を販売するときの状態、食品を食すときの場面等を考慮して包装用容器が選択されてきた。そのため、食品の包装用容器には、食品製造業者の輸送時や消費者の持ち運び時に容器内で食品の位置ずれや転倒を防止する構造、消費者の購入時に収納された食品が見やすい構造、消費者の飲食時に内部から食品が取りやすい構造等の工夫がされてきた。
【０００３】
例えば、特許文献１では、寿司が載置される載置部に、寿司の長辺・短辺及び載置時の寿司同士の境界と一致するように小突起及び大突起を設けることで、寿司の載置位置の目安や位置ずれ防止を実現する発想が提案されている。さらに、載置部の周縁より外周に部分的に高さの異なる周縁壁を設けることで、寿司の転がりや片寄りの防止、寿司の盛り付けやすさ及び取り出し易さ、寿司の沈み込み感の回避を実現する発想が提案されている。
【先行技術文献】
【特許文献】
【０００４】
【特許文献１】特開２０１２−１０１８１６号公報
【発明の概要】
【発明が解決しようとする課題】
【０００５】
一方、近年の小売業界では、食材の価格高騰や消費者の節約志向に鑑みて、収納する食品の量目に変化が起きている。すなわち、商品の値上げを回避し、かつ消費者に満足感を与えるには、食品の量目を抑えつつ、従来と同等又はそれ以上のボリューム感を演出する必要性が高まってきている。
【０００６】
また、小売店としては、弁当や惣菜等の食品売り場の陳列にも配慮している。すなわち、限られた売り場面積を有効に活用するための工夫や商品の種類・美味しさ・高級感を消費者に伝え訴求するための工夫を試行錯誤しており、消費者にとって迷わず、わかりやすく、飽きない食品売り場の改善活動を常日頃から行っている。
【０００７】
特に高齢者や介護者等シニア世代に関係する消費者は、美味しく高級感ある食品を手頃な価格にて近所の小売店で購入する傾向が一層高まってきている。すなわち、外食時の贅沢感や憩いの時間をより手軽に家庭内でも味わいたい欲求を満たすために、食品の品質（見た目含む）にこだわって商品を選択している。
【０００８】
しかしながら、こうした小売業界の動向、各小売店の活動、及び消費者の事情を踏まえると、上述した従来技術の包装用容器では解決できない課題が多々ある。例えば、近年の食品の量目傾向に対して消費者に十分な満足感を提供するための技術や小売店の活動に対して売り場面積を有効活用するための技術に関する発想は提案されていない。
【０００９】
このような食品の包装用容器に関する未解決の課題に対して、発明者等は創意工夫の末、従来技術と全くと異なる技術的思想に基づいた新たな包装用容器の開発に行き着いた。すなわち、不変的な包装用容器共通の外形、食品の載置範囲及び面積、及び容器の各部分の機能・用途に捕らわれず、かつ食品の位置ずれ防止や容器自体の剛性確保等を含む必要不可欠な技術を盛り込んだ包装用容器である。
【００１０】
そこで、本発明の第１の目的は、食品の量目に対して消費者の満足感を相対的に高める包装用容器を提供することにある。また、本発明の第２の目的は、商品の売り場面積の効率化の向上に貢献する包装用容器を提供することにある。
【課題を解決するための手段】
【００１１】
すなわち、本発明による包装用容器は、食品の各々が載置される載置部と、上記載置部の周縁より外方に延出するフランジ部とを少なくとも備えた容器本体を備え、上記載置部における上記食品１つあたりの面積が１５ｃｍ２以下で、平面視で上記容器本体のうち上記載置部以外の部分における上記食品１つあたりの面積が１７ｃｍ２以下であることを特徴としてもよい。
【００１２】
また、上記容器本体が、上記載置部を引き上げる脚部をさらに備え、上記載置部の表面から上記脚部の最下端までの高さが、１０ｍｍ以上であってもよい。
【００１３】
また、上記フランジ部が、部分的に高さの高い膨出部を有していてもよい。
【００１４】
また、上記膨出部が、部分的に幅の広い幅広部を有していてもよい。
【００１５】
また、上記容器本体に装着され、角部分が隅切られた蓋体２を備えていてもよい。
【００１６】
「食品」とは、載置部に静止して載置可能な食品を意味し、例えば、寿司（握り寿司含む）、パン、おにぎり、若しくは各種惣菜、又はこれら２つ以上の組み合せでもよく、限定はない。
【００１７】
「食品の各々が載置される」範囲としては、載置部内に限らず、載置部から載置部以外の部分に渡った所定の範囲でよく、限定はない。「食品の各々が載置される」向きとしては、消費者が包装用容器と向き合う通常の向きを正面として斜め方向（例えば、斜め左向き）でもよく、限定はない。
【００１８】
「載置部における上記食品１つあたりの面積」とは、載置部の投影面積を載置部に載置される食品の総数で割算したものを示してもよい。「載置部以外の部分における上記食品１つあたりの面積」とは、容器本体の投影面積から載置部の投影面積を除算した面積を載置部に載置される食品の総数で割算したものを示してもよい。なお、各面積の算出方法に限定はない。
【００１９】
「載置部以外の部分」とは、フランジ部や脚部が含まれてもよく、限定はない。
【００２０】
「部分的に高さの高い膨出部」とは、フランジ部に形成された垂直方向の凹凸部分のうち高低差が生じている箇所のうち高い部分ならいずれでもよく、限定はない。
【００２１】
「部分的に幅の広い幅広部」とは、フランジ部に形成された水平方向の凹凸部分のうち幅寸法に差が生じている箇所のうち広い部分ならいずれでもよく、限定はない。
【発明の効果】
【００２２】
本発明による包装用容器では、食品の載置部における食品１つあたりの面積が１５ｃｍ２以下に対し、平面視で容器本体のうち載置部以外の部分における食品１つあたりの面積が１７ｃｍ２以下であることで、食品の載置部分の面積とこれ以外の部分（例えば、フランジ部）の面積との最適化が実現する。すなわち、食品の載置部分の面積に比べてこれ以外の部分の面積が小さいほど、消費者にはこれ以外の部分が視認されにくくなり、かつ食品が視認されやすくなるため、相対的にボリューム感（ギュッと詰まった感覚）を感じさせることができる。
また、載置部にフランジ部が隣接することで、食品の載置部分の面積が小さい分、載置部の周縁からはみ出した食品の一部がフランジ部にも載るため、容器本体に食品が広々と載置されている感覚を消費者に抱かせることもできる。
【００２３】
さらに、脚部が容器本体の載置部の表面を１０ｍｍ以上引き上げることで、より消費者が感じる食品の見栄えを向上させる効果が期待できる。すなわち、引き上げられている分、食品のボリューム感を消費者により間近に感じさせると共に、包装用容器の設置面（床や机上等）から食品を遠ざけることで、食品の沈み込み感を軽減又は回避することができる。
【００２４】
さらに、フランジ部が部分的に高さの高い膨出部を有していることで、フランジ部自体に高低差が生まれて躍動感を演出できるようになるため、容器本体の閉塞感を軽減し、食品の見栄えをより引き立たせることができる。
【００２５】
さらに、膨出部が部分的に幅の広い幅広部を有していることで、載置部の表面より高い位置にある幅広部に載置部の周縁からはみ出した食品の一部を盛れるため、食品が立体的に載置されている感覚を消費者に抱かせることができる。さらにまた、膨出部の幅が広くなることで成形性が向上することが期待される。すなわち、膨出部の投影面積が広くなることにより、成形時に引き伸ばされる材料が多くなる。その結果、膨出部の高さが高くなっても、その分引き込む材料が多くなるので部分的に薄くなってしまったりすることが回避され、不具合なく成形できる。
【００２６】
さらに、容器本体に装着される蓋体の角部分が隅切られていることで、隅切られていない状態と比べて、隅切られた部分と載置部に載置された食品との距離が縮まるため、閉蓋時に角部分が載置された食品に近づき消費者がより間近に食品を見ることができるため、相対的に食品のボリューム感（ギュッと詰まった感覚）を感じさせることが期待できる。
【図面の簡単な説明】
【００２７】
【図１】本包装用容器の一例を示す容器本体の斜視図である。
【図２】本包装用容器の一例を示す容器本体及び蓋体の組み合せ斜視図である。
【図３】本包装用容器の一例を示す容器本体の正面図である。
【図４】本包装用容器の一例を示す容器本体の平面図である。
【図５】本包装用容器の一例を示す容器本体の右側面図である。
【図６】上記正面図に示すＡ−Ａ部分におけるＢ−Ｂ部分の拡大端面図である。
【図７】上記正面図に示すＣ−Ｃ部分におけるＤ−Ｄ部分の拡大端面図である。
【発明を実施するための形態】
【００２８】
以下、図１を参照しつつ、本実施形態による包装用容器（以下、「本包装用容器」ともいう。）の概要を説明する。
【００２９】
図１に示すように、本包装用容器は、食品の各々が載置される載置部１１と、この載置部の周縁より外方に延出する本体フランジ部１２とを少なくとも備えた容器本体１を備え、この載置部におけるこの食品１つあたりの面積が１５ｃｍ２以下で、平面視でこの容器本体のうちこの載置部以外の部分におけるこの食品１つあたりの面積が１７ｃｍ２以下であることを特徴としてもよい。
【００３０】
また、容器本体１が、載置部１１を引き上げる脚部１３をさらに備え、この載置部の表面からこの脚部の最下端までの高さが、１０ｍｍ以上であってもよい。
【００３１】
また、本体フランジ部１２が、部分的に高さの高い膨出部１２ａを有していてもよい。
【００３２】
また、膨出部１２ａが、部分的に幅の広い幅広部１２ａｘを有していてもよい。ここで、幅広部１２ａｘは傾斜面を形成してもよい。こういった構成によれば、売場などを照らす照明の光が傾斜で反射することが期待され、本体フランジ部１２にシャープ感を演出することができる。こうしたシャープ感により、載置部に載置される食品の鮮度感を際立出せる効果が期待される。
【００３３】
また、図２に示すように、本包装用容器は、容器本体１に装着され、角部分が隅切られた蓋体２を備えていてもよい。
【００３４】
次に、図１〜図７を参照しつつ、本包装用容器の詳細な構造について説明する。
なお、容器本体の底面図は平面図と対称、背面図は正面図と、左側面図は右側面図と、それぞれ同一に表せるので省略してもよい。各図に表された縦・横・斜めの細線及び円弧状細線は、立体表面の形状を表す線でもよい。
【００３５】
本包装用容器は、例えば、寿司を収納する容器本体１と、この容器本体に装着される蓋体２とを備えていてもよい。載置された寿司の消費者が本包装用容器と向き合う通常の向き（以下では、この向きを基準としてもよく、本包装用容器の正面をこの向きとしてもよい。）にて平面視すると、本包装用容器は、平面視で長手縁と短手縁とを有する横長の略長方形状でもよい。本包装用容器は、上下左右対称の形状であってもよい。
なお、容器本体１の寸法は、長手縁方向の最大値が２４０ｍｍ、短手縁方向の最大値が１４５ｍｍ、高さ方向の最大値が２７ｍｍでもよく、成形上の誤差があってもよく、これに限定されることはない。
【００３６】
容器本体１は、寿司が載置される平坦状の載置部１１と、この載置部の周縁から外方に延出する本体フランジ部１２と、この載置部を所定の高さに引き上げる脚部１３とを備えていてもよい。容器本体１における寿司１貫あたりの面積は、平面視で３２ｃｍ２以下でもよい。容器本体１内に収納される寿司の配列及び数量は、縦２列かつ横３〜６貫でもよい。載置部１１と本体フランジ部１２との間には所定の溝（付番しない）があってもよく、この溝で載置された寿司から出る水分や汁を受け止めてもよい。容器本体１は、この容器本体の中心点に対する点対称な図形であってもよく、これにより容器本体自体の剛性を高めてもよい。
なお、容器本体１の投影面積（本体フランジ部１２の外周縁より内側に相当）は３１５ｃｍ２、この本体フランジ部の内周縁より内側の面積は２３５ｃｍ２、載置部１１の投影面積（この載置部の周縁より内側に相当）は１４８ｃｍ２でもよく、成形上の誤差があってもよく、これに限定されることはない。一般的な握り寿司１貫の寸法としては、長辺が５０ｍｍ、短辺が２５ｍｍ、高さが２５ｍｍでもよい。
【００３７】
載置部１１は、平面視で長手縁と短手縁とを有する横長の略長方形状でもよく、この載置部における寿司１貫あたりの面積が１５ｃｍ２以下でもよい。載置部１１は、載置された寿司の配置を保持する載置保持部１１ａを有していてもよい。
なお、載置部１１の寸法は、長手縁方向の最大値が１７５ｍｍ、短手縁方向の最大値が９０ｍｍでもよく、成形上の誤差があってもよく、これに限定されることはない。
【００３８】
載置保持部１１ａは、載置部１１の表面から突出した凸状物でもよく、寿司１貫毎の形状及び寸法に合わせて配置されたものでもよく、平面視で載置部１１に対して４６〜４８°斜め左向きに傾いていてもよく、４６．５〜４７．５°斜め左向きに傾いていてもよい。例えば、載置保持部１１ａは、４７°斜め左向きに傾いた寿司の長辺に沿う載置保持長辺部１１ａｘ及びこの載置保持長辺部に直交した寿司の短辺に沿う載置保持短辺部１１ａｙが連続して設けられて構成されていてもよい。寿司は、載置保持短辺部１１ａｙを境に上下２列かつ載置保持長辺部１１ａｘを境に５貫載置されてもよい。載置保持長辺部１１ａｘは、中間部分が剛性強化のため途切れていてもよく、末端部分が先細くてもよい。
このように、載置保持部１１ａは、載置された寿司の位置ずれを防止するのみならず、載置部１１に対して４６〜４８°斜め左向きの載置保持部１１ａに載置された寿司は、４６°未満で載置された寿司より立って見えるため、相対的に寿司のボリューム感（ギュッと詰まった感覚）を消費者に感じさせることが期待できる。これに応じて、載置部１１及び容器本体１の長手縁の長さを短くできるため、本包装用容器全体のダウンサイジングが実現し、売り場での陳列効率の向上に貢献できる。
【００３９】
本体フランジ部１２は、平面視で長手縁と短手縁とを有する横長の略長方形状でもよい。本体フランジ部１２は、載置部１１に隣接している部分と、この載置部と本体フランジ部１２との間に脚部１３を介在させて設けられている部分とがあってもよい。本体フランジ部１２は、部分的に高さの高い膨出部１２ａと、対角線上かつ外方に向かって先細りつつ上向きに反り返った４つの角部１２ｂとを有していてもよい。本体フランジ部１２の長手縁側の双方及び短手縁側の双方は、容器本体１の中心に対する点対称な形状でもよい。
なお、本体フランジ部１２の幅は、部分的に異なり、最大値（最も太い箇所）が５０ｍｍ、最小値（最も細い箇所）が１５ｍｍでもよく、成形上の誤差があってもよく、これに限定されることはない。
このように、本体フランジ部１２にシャープ感を演出させることができることで、通常の平坦状のフランジ部を有する包装用容器と比べて消費者に立体感や高級感を与えると共に、売り場に変化を与えることが期待できる。さらに、本包装用容器が発泡ＰＳＰ製である場合、素材の特性を活かした丸みある包装用容器と比べて、消費者にシャープな印象を提供することが期待できる。また、角部１２ｂが対角線上かつ外方に向かって先細りつつ上向きに反り返っていることで、容器本体１の長手縁方向が実質的に短くなった分を視覚効果により大きく見せることが期待できる。また、平面視で上側の本体フランジ部１２の長手縁側の中心より左側の高さが右側の高さより低いことで、この左側の角部付近に載置された寿司の視認性の向上を図ることができ、例えば、高級な寿司に対する消費者の視線誘導を意図的に行うことができ、消費者が感じる商品価値を高めることが期待できる。
【００４０】
膨出部１２ａは、部分的に角度の異なる傾斜面が複数連設して構成されていてもよく、部分的に幅の広い幅広部１２ａｘを有していてもよく、この幅広部に載置部１１に向かって略真っ直ぐ下った最も急勾配な傾斜面部１２ａｙが設けてあってもよい。こうした構成によれば、売場などを照らす照明の光が傾斜面で反射することが期待され、本体フランジ部１２にシャープ感を演出することができる。膨出部１２ａは、平面視で上側の本体フランジ部１２の長手縁側の中心より右側に配されていてもよい。膨出部１２ａ及び幅広部１２ａｘは、載置部１１に隣接して設けられていてもよい。膨出部１２ａは、本体フランジ部１２の長手縁側の双方に設けられ、かつ容器本体１の中心に対する点対称な形状でもよい。角部１２ｂは、容器本体１の中心に対する点対称な形状でもよい。
なお、膨出部１２ａの寸法は、本体フランジ部１２の幅の最大値（最も太い箇所）と同等であってもよい。膨出部１２ａの傾斜面（傾斜面部１２ａｙを含む）は、２０〜４５°でよく、好ましくは３０〜４０°、より好ましくは３３〜３７°でもよい。載置部１１の表面から膨出部１２ｂの最上端までの高さは１２ｍｍでもよい。
【００４１】
脚部１３は、載置部１１の４つの角部分の周縁から下方に突出して脚形状を形成し、上端が本体フランジ部１２と連結しているＬ字凹型形状でもよい。換言すると、脚部１３は、容器本体１の４つの角部分かつ載置部１１と本体フランジ部１２との間に該当する箇所に配されたＬ字凹型形状でもよい。脚部１３は、容器本体１の中心点に対して点対称な形状でもよい。
このように、脚部１３がＬ字状であることで、ライン製造時のベルトコンベアに脚部分が引っ掛かる恐れを回避するのみならず、商品の積み重ね時に蓋体の角部分（隅切り部分）に合致して安定させることができる。
【００４２】
蓋体２は、平坦状の天面部２１と、この天面部の周縁から下方に拡開する平坦状の側壁部２２と、この側壁部の下端から外方に延出する蓋体フランジ部２３とを備えていてもよい。蓋体２は、容器本体１を外嵌合にて閉蓋する構造でもよく、蓋体フランジ部２３の形状が本体フランジ部１２の形状と一致して外嵌合する構造でもよい。
【００４３】
天面部２１は、平面視で角部分が隅切られた略八角形状でもよい。側壁部２２は、天面部２１の角部分を含む周縁から下方に平面状に拡開していてもよい。側壁部２２の水平方向の端面は、天面部２１と同等の形状（略八角形状）でもよい。天面部２１及び側壁部２２の角部分にて隅切り部２４が形成されてもよい。
【００４４】
側壁部２２は、部分的に本体フランジ部１２（例えば、膨出部１２ａや幅広部１２ａｘ）上に立ち上がっていてもよく、この本体フランジ部上に立ち上がった側壁部の下端縁は、この本体フランジ部の形状に合わせて部分的に切り欠かれた切り欠き部（符番しない）があってもよい。蓋体フランジ部２３は、切り欠き部を含む側壁部２２の下端縁からこの本体フランジ部の形状に一致する形状で外方に延出してもよい。隅切り部２４に該当する側壁部２２の下端縁と蓋体フランジ部２３との間には、所定寸法の平坦部（符番しない）が介在していてもよい。
【００４５】
次に、図１及び図２を参照しつつ、本包装用容器の実施状況について詳細に説明する。
【００４６】
容器本体１には、載置部１１上の載置保持部１１ａが載置場所の目安となって寿司計１０個が収納されてもよい。載置された寿司は、載置保持部１１ａと同等の角度で（例えば、４７°斜め左向きに）傾き、互いの列の寿司が入り組んで配列されていてもよい。すなわち、寿司の角度及び配列が消費者に感じさせる収納具合に影響を与えてもよく、大きめな角度かつ入り組んだ配列にて載置された寿司が消費者にボリューム感（ギュッと詰まった感覚）を提供してもよい。
【００４７】
また、載置部１１に載置された寿司が、脚部１３にて引き上げられると共に、本体フランジ部１２にシャープ感が演出されるため、収納された寿司が下方に沈み込まず、消費者が感じる寿司の印象を向上させることができる。また、載置部１１の膨出部１２ａで、かつ幅広部１２ａｘの傾斜面部１２ａｙに、この載置面部からはみ出した寿司の端部が載ると、さらに寿司が立体的に見えるため、消費者にボリューム感（ギュッと詰まった感覚）を提供することができる。
【００４８】
また、容器本体１に蓋体２が装着されると、側壁部２２が本体フランジ部１２より内側又はこの本体フランジ部のうち膨出部１２ａや幅広部１２ａｘの上方に立ち上がると共に、この蓋体の角部分には所定幅の平坦状の隅切り部２４が設けられていることで、寿司とこの側壁部とが近接するため、消費者は寿司の状態を確認しやすい。
【００４９】
したがって、本実施形態における包装用容器では、食品の載置部１１における寿司１貫あたりの面積が１５ｃｍ２以下に対し、平面視で容器本体１のうちこの載置部以外の部分における寿司１貫あたりの面積が１７ｃｍ２以下であることで、寿司の載置部分の面積とこれ以外の部分（例えば、本体フランジ部１２）の面積との最適化が実現する。すなわち、寿司の載置部分の面積に比べてこれ以外の部分の面積が小さいほど、消費者にはこれ以外の部分が視認されにくくなり、かつ寿司が視認されやすくなるため、相対的にボリューム感（ギュッと詰まった感覚）を感じさせることができる。
また、載置部１１に本体フランジ部１２が隣接することで、寿司の載置部分の面積が小さい分、この載置部の周縁からはみ出した寿司の一部が本体フランジ部１２にも載るため、容器本体１に寿司が広々と載置されている感覚を消費者に抱かせることもできる。
【００５０】
さらに、脚部１３が容器本体１の載置部１１の表面を１０ｍｍ以上引き上げることで、より消費者が感じる寿司の見栄えを向上させる効果が期待できる。すなわち、載置部１１が引き上げられている分、寿司のボリューム感を消費者により間近に感じさせると共に、包装用容器の設置面（床や机上等）から寿司を遠ざけることで、食品の沈み込み感を軽減又は回避することができる。
【００５１】
さらに、本体フランジ部１２が部分的に高さの高い膨出部１２ａを有していることで、この本体フランジ部自体に高低差が生まれて躍動感を演出することができやすくなるため、この容器本体の閉塞感を軽減し、寿司の見栄えをより引き立たせることができる。
【００５２】
さらに、膨出部１２ａが部分的に幅の広い幅広部１２ａｘを有していることで、載置部１１の表面より高い位置にあるこの幅広部に載置部１１の周縁からはみ出した寿司の一部を盛れるため、寿司が立体的に載置されている感覚を消費者に抱かせることができる。
【００５３】
さらに、容器本体１に装着される蓋部２が隅切り部２４を有することで、隅切られていない状態と比べて、隅切り部２４と載置部１１に載置された寿司との距離が縮まるため、閉蓋時に隅切り部２４が載置された寿司に近づき消費者がより間近に寿司を見ることができるため、相対的に食品のボリューム感（ギュッと詰まった感覚）を感じさせることが期待できる。さらにまた、蓋部２の天面部２１と容器本体１の載置部１１との距離は狭いほうがよりボリューム感（ギュッと詰まった感覚）を感じさせることが期待できる。ここで、蓋部２の天面部２１と容器本体１の載置部１１との距離は、特に限定はないが、４５ｍｍ以下であってもよく、４０ｍｍ以下であることが好ましい。
【００５４】
なお、本実施形態における容器本体１及び蓋体２は、例えば真空成形、圧空成形、真空圧空成形、両面真空成形、熱板成形等のシート成形で、合成樹脂シートを熱成形することにより形成されてもよい。合成樹脂シートとしては、例えば、ポリエチレンテレフタレート等のポリエステル系樹脂、ポリスチレン等のスチレン系樹脂、ポリプロピレン等のオレフィン系樹脂で、単層や多層のシートを使用してもよい。樹脂としては、例えば、発泡樹脂を使用すれば、軽量かつ断熱性があり好ましい。さらに、シートの表面または裏面を合成樹脂フィルムで覆ってもよく、表面を覆った場合は印刷を施してもよい。合成樹脂発泡シートの厚みは特に制限はないが、２．０〜３．５ｍｍであればよく、好ましくは２．５〜３．０ｍｍ、より好ましくは２．６〜２．９ｍｍである。合成樹脂発泡シートの坪量は特に制限はないが、１２０〜１５０ｇ／ｍ２であればよく、好ましくは１２５〜１４５ｇ／ｍ２であればよい。
【符号の説明】
【００５５】
１        容器本体
１１      載置部
１１ａ    載置保持部
１１ａｘ  載置保持長辺部
１１ａｙ  載置保持短辺部
１２      本体フランジ部
１２ａ    膨出部
１２ａｘ  幅広部
１２ａｙ  傾斜面部
１３    脚部
２      蓋体
２１    天面部
２２    側壁部
２３    蓋体フランジ部
２４    隅切り部
【図１】
2018095306.tif 000003
【図２】
2018095306.tif 000004
【図３】
2018095306.tif 000005
【図４】
2018095306.tif 000006
【図５】
2018095306.tif 000007
【図６】
2018095306.tif 000008
【図７】
2018095306.tif 000009